(57)【要約】【課題】利用者の操作性の向上を図る料金自動収受装置を提供すること。【解決手段】有料道路における通行料金の収受を自動的に行う料金自動収受装置であり、通行券の読み取りを行い、通行距離に対応した通行料金の収受を実行する収受手段と、前記収受手段による前記通行料金の収受に係る金額及び案内を表示する液晶表示器（６）と、を備えている。【選択図】　　図１
2004062302.tif 000002
【特許請求の範囲】
【請求項１】
有料道路における通行料金の収受を自動的に行う料金自動収受装置であり、
通行券の読み取りを行い、通行距離に対応した通行料金の収受を実行する収受手段と、
前記収受手段による前記通行料金の収受に係る金額及び案内を表示する液晶表示器と、
を備えたことを特徴とする料金自動収受装置。
【請求項２】
前記液晶表示器は、前記案内に係るメッセージ及びイメージ図の少なくとも一方を表示することを特徴とする請求項１に記載の料金自動収受装置。
【請求項３】
前記液晶表示器は、半透過型液晶表示器からなることを特徴とする請求項１または２に記載の料金自動収受装置。
【発明の詳細な説明】
【０００１】
【発明の属する技術分野】
本発明は、有料道路出口の料金所内に設置される料金自動収受装置に関する。
【０００２】
【従来の技術】
従来、高速道路等の有料道路では、自動車に乗った利用者が入口の料金所にて通行券を受け取り、該道路を走行し、出口の料金所にて該通行券を収受員に手渡す。そして収受員により、該有料道路において利用者が通行した区間すなわち通行距離に応じた料金の収受が行われる。
【０００３】
また、通行距離に関わらず通行料金が均一な有料道路では、料金の自動収受を行う料金自動収受装置が用いられている。この料金自動収受装置は、有料道路の途中等に設けられた料金所に設置され、利用者により投入される料金の収受処理を自動的に行う。
【０００４】
【発明が解決しようとする課題】
上述した料金自動収受装置は、均一料金の収受を行うものであり、車種等により異なる料金には対応できるものの、高速道路等での通行区間すなわち通行距離に対応した料金の収受を行うことはできない。
【０００５】
また、従来の料金自動収受装置では、通行料金表示器と投入料金表示器として個別に７セグＬＥＤ等を設けており、それぞれ４桁表示等に固定され、利用案内は音声のみであった。このため、料金所内では案内音声が車両の騒音で聞こえない、耳が不自由な方に対する配慮が無い、案内音声が流れた後だと案内の内容が分らない、等の問題があった。
【０００６】
本発明の目的は、利用者の操作性の向上を図る料金自動収受装置を提供することにある。
【０００７】
【課題を解決するための手段】
課題を解決し目的を達成するために、本発明の料金自動収受装置は以下の如く構成されている。
【０００８】
（１）本発明の料金自動収受装置は、有料道路における通行料金の収受を自動的に行う料金自動収受装置であり、通行券の読み取りを行い、通行距離に対応した通行料金の収受を実行する収受手段と、前記収受手段による前記通行料金の収受に係る金額及び案内を表示する液晶表示器と、を備えている。
【０００９】
（２）本発明の料金自動収受装置は上記（１）に記載の装置であり、かつ前記液晶表示器は、前記案内に係るメッセージ及びイメージ図の少なくとも一方を表示する。
【００１０】
（３）本発明の料金自動収受装置は上記（１）または（２）に記載の装置であり、かつ前記液晶表示器は、半透過型液晶表示器からなる。
【００１１】
【発明の実施の形態】
以下、本発明の実施の形態を図面を参照して説明する。
【００１２】
図１は、本発明の実施の形態に係る料金自動収受装置の構成を示す正面図である。この料金自動収受装置は対距離料金収受システムに用いられ、有料道路出口の料金所内の車線アイランド上（出口車線の路側）に設置される。この料金自動収受装置では、利用者が該有料道路において自動車で通行した区間すなわち通行距離に応じて、料金の収受を直接行う。
【００１３】
図１に示す料金自動収受装置１の筐体の前面には、上段と下段にそれぞれ操作部１００，１００が備えられている。また、筐体前面の上部に音声案内スピーカ１０１が、下部に偽貨返却口１０２が設けられている。
【００１４】
図２は、料金自動収受装置１の構成を示すブロック図である。図２において図１と同一な部分には同符号を付してある。料金自動収受装置１内では、制御部２に、前面パネルユニット３、操作パネル４、硬貨払出機５が接続されている。また制御部２には、筐体内上段の料金案内表示器６、通行券処理ユニット７、プリペイドカード処理ユニット８１、多機能カード処理ユニット８２、紙幣処理ユニット９、及び領収書発行機１０と、筐体内下段の料金案内表示器６、通行券処理ユニット７、プリペイドカード処理ユニット８１、多機能カード処理ユニット８２、紙幣処理ユニット９、及び領収書発行機１０と、硬貨選別機１１及び偽貨返却機構２５が接続されている。さらに制御部２には、料金所の事務所内に設置された上位システム１２及び監視盤１３と、料金所内の出口車線に設置された車種判別装置１４、車両検知器１５、及び発進制御機１６が接続されている。前面パネルユニット３には音声案内スピーカ１０１が接続されている。
【００１５】
料金自動収受装置１は、有料道路出口の料金所内の車線アイランド上に設置され、図２に示す各機器を内蔵している。制御部２は、料金自動収受装置１内の機器の全体制御、及び外部接続機器との通信を行う。前面パネルユニット３は、筐体前面に取付けられた扉の内側に設けられている。前面パネルユニット３は、筐体前面の操作部１００，１００に設けられた後述する通行券挿入口、カード挿入口、プリペイドカード挿入口、紙幣挿入口、及び釣銭払出口の各シャッタと硬貨投入口の制御と、領収書発行釦の入力受付け、料金案内表示器の制御、及び音声案内スピーカ１０１からの音声案内を行う。
【００１６】
操作パネル４は、筐体内に設けられ、収受員による勤務の入／切、各機器の異常状態の監視（表示）、収受員による特別処理（車種変更、割引他）の入力受付等を行う。硬貨払出機５は、筐体上部に設置されている。硬貨払出機５は、各金種別（１０円、５０円、１００円、５００円）に準備金を蓄えるホッパが設けられ、制御部２からの指令に応じて、指定金額を釣銭として払い出す動作、または収受員の勤務終了時等に硬貨金庫へ準備金を回収する動作を行う。料金案内表示器６は、後述する上下各段の前面パネルに設けられ、通行料金、投入金額、おつり、利用案内等を表示する。
【００１７】
通行券処理ユニット７は、上下各段に設置され、利用者が有料道路入口の料金所にて受け取り、通行券挿入口から挿入した通行券を読み取る。通行券処理ユニット７が読み取ったデータは制御部２へ通知される。通行料金は制御部２にて決定される。通行券処理ユニット７は、利用者による支払い等が終了した際、支払方法等の出口データを前記通行券へ磁気記録及び印書し、前記通行券を収納する。
【００１８】
多機能カード処理ユニット８２は、上下段に設置され、利用者によりカード挿入口から挿入されたクレジットカード、ＥＴＣカード等を処理し、プリペイドカード処理ユニット８１は、挿入されたハイウェイカード等のプリペイドカードを処理し、そのカードから読み取ったデータを制御部２へ通知する。制御部２は、データの整合確認等を行う。
【００１９】
紙幣処理ユニット９は、上下各段に設置され、利用者により紙幣挿入口から挿入された紙幣を識別・計数し、制御部２へ通知するとともに、受け入れた紙幣を収納する。また紙幣処理ユニット９は、制御部２からの指令に応じて、釣りとして紙幣を払い出す等の機能を有する。
【００２０】
領収書発行機１０は、上下各段に設置され、領収書を発行（印書＋カット）する機能を有する。前面パネルユニット３に設けられた所定の釦が利用者により押され、制御部２は印書内容を含めた発行指令を領収書発行機１０へ通知する。領収書発行機１０は、この通知に応じて領収書を発行する。
【００２１】
硬貨選別機１１は、硬貨の真偽判別、及び計数を行う。硬貨選別機１１は、制御部２からの指令に応じて動作を開始し、利用者により硬貨投入口から一括投入された硬貨を１枚づつ判別センサへ送り出し、真偽判別・金種判別を行う。偽貨と判別された硬貨は、偽貨返却機構２５を介して偽貨返却口１０２から返却される。
【００２２】
上位システム１２は、料金所の事務所内に設置され、料金自動収受装置１から通知される収受データの受信、料金自動収受装置１の運用に必要な設定データの送信を行う。監視盤１３は、料金所の事務所内に設置され、各ユニットの異常状態の監視（表示）、収受員による特別処理（車種変更、割引他）の入力受付等を行う。また監視盤１３は、車線アイランドに設けられた監視カメラの映像を映すモニタも併せ持つ。
【００２３】
車種判別装置１４は、料金所内の出口車線の進入側に設置され、進入した車両の車種を判別する。その判別結果は、車種判別装置１４から料金自動収受装置１へ通知される。車両検知器１５は、料金所内の出口車線の発進側に設置され、発進した車両を検知し、料金自動収受装置１へ通知する。発進制御機１６は、料金所内の出口車線の発進側に設置され、料金自動収受装置１の指令に応じて阻止捧を開／閉する。
【００２４】
図３は、上記料金自動収受装置の各操作部１，１における前面パネルのレイアウトを示す図である。前面パネル２００には、中央部の発進側に紙幣挿入口２０１が、中央部の進入側に通行券挿入口２０２が設けられている。紙幣挿入口２０１の下方には硬貨投入口２０３が、通行券挿入口２０２の下方には証明書挿入口２０４が設けられている。紙幣挿入口２０１の発進側には釣銭払出口２０５が、硬貨投入口２０３の発進側には領収書発行釦２０６と領収書発行口２０７が設けられている。通行券挿入口２０２の進入側には、インターフォン子機２０８とカード挿入口２０９が設けられている。通行券挿入口２０２の上方には、ＬＣＤからなる料金案内表示器６が設けられている。カード挿入口２０９の上方には、係員呼び出しレバー２１０が設けられている。証明書挿入口２０４の進入側には、係員呼び出しレバー２１１とプリペイドカード挿入口２１２が設けられている。
【００２５】
以上のように構成された料金自動収受装置は、有料道路の通行料金を利用者の支払い動作に応じて自動的に徴収する通行券処理機能を備え、通行券の読み取りを可能とし、対距離（対区間）料金収受システムの有料道路への適用を可能としている。
【００２６】
図４，図５は、上記料金自動収受装置の動作手順を示すフローチャートである。以下、図４，図５に沿い、上記料金自動収受装置の動作を説明する。
【００２７】
料金所内の出口車線に車両が進入すると、ステップＳ１で、車種判別装置１４は該車両を検知し、車種を判定して制御部２へ通知する。ステップＳ２で、制御部２は、前面パネルユニット３へ、通行券挿入口２０２のシャッタとカード挿入口２０９のシャッタの開指令を通知する。これにより、前面パネルユニット３の制御により、通行券挿入口２０２とカード挿入口２０９の図示しない各ランプが点灯し、通行券挿入口２０２のシャッタとカード挿入口２０９のシャッタが開かれる。このような制御部２の制御により、上段及び下段の操作部１が作動する。
【００２８】
次にステップＳ３で、制御部２は、前面パネルユニット３へ所定の音声案内をするよう通知し、料金案内表示器６へ所定のメッセージを表示するよう通知する。これにより、音声案内スピーカ１０１から、「通行券、またはＥＴＣカードを、お入れください。」という音声案内が発生され、料金案内表示器６にその旨のメッセージが表示される。
【００２９】
ステップＳ４で、身体障害割引または強制流出割引がある場合、収受員は、出口車線上で利用者が提示する割引証明書を確認の上、操作パネル４にて割引操作をする。これにより、ステップＳ５で、割引がある旨が操作パネル４から制御部２へ通知される。また、利用者に割引証明書を図示しない証明書箱へ挿入させる場合は、収受員による操作パネル４または監視盤１３の操作が制御部２へ通知される。そして、制御部２から前面パネルユニット３へ、証明書挿入口２０４の扉のロックを解除する指令が通知され、証明書挿入口２０４の扉のロックが解除される。
【００３０】
次に、ステップＳ６で、利用者が通行券を通行券挿入口２０２に挿入すると、その通行券に記録されている入口データ（入口インターチェンジ（ＩＣ）番号、車種等）が、通行券処理ユニット７にて読み取られ制御部２へ通知される。ステップＳ７で、制御部２は、上記ステップＳ１で車種判別装置１４から得た車種と、上記ステップＳ６で通行券処理ユニット７から得た前記入口データ中の車種とを照合する。
【００３１】
この照合の結果、ステップＳ８で、一致すれば、ステップＳ１０の処理へ進む。不一致の場合、ステップＳ９で、制御部２は監視盤１３と操作パネル４に通知し、収受員の操作を受付ける。このように、通行券に記録された車種と車種判別の結果とが一致しない場合、監視盤１３では、収受員に通行券の確認を促す画面表示とブザーの出力がなされる。そして収受員は、当該車両の車種を目視で確認し、監視盤１３の車種設定釦を押圧する。
【００３２】
次にステップＳ１０で、制御部２は、あらかじめ上位システム１２から送信されて記憶している料金表と前記入口データをもとに、当該車両の通行料金を判定する。ステップＳ１１で、制御部２は、料金案内表示器６へ通行料金のデータを通知し通行料金と案内メッセージを表示させるとともに、前面パネルユニット３へ音声案内を発生するよう指示する。これにより、料金案内表示器６に通行料金と案内メッセージが表示され、音声案内スピーカ１０１から「通行料金は○○円です。乗り継ぎ証のある方は…」等の音声案内が出力される。
【００３３】
続いてステップＳ１２で、制御部２は前面パネルユニット３へ、硬貨投入口２０３と、紙幣挿入口２０１、プリペイドカード挿入口２１２、及びカード挿入口２０９の各シャッタを開くよう指示する。これにより、前面パネルユニット３の制御により、硬貨投入口２０３と前記各シャッタが開かれる。そして、制御部２は硬貨選別機１１を稼働させ、紙幣処理ユニット９とプリペイドカード処理ユニット８１と多機能カード処理ユニット８２を挿入待ち状態とする。
【００３４】
上記ステップＳ１１〜Ｓ１２の期間中においても、上記ステップＳ５と同様の割引処理と、上記ステップＳ９と同様の車種変更処理が、必要時に受付けられる。身体障害割引または強制流出割引がある場合、収受員は、出口車線上で利用者が提示する割引証明書を確認の上、操作パネル４にて割引操作をする。また、車種変更がある場合、収受員は、当該車両の車種を目視確認し、監視盤１３の車種設定釦を押圧する。
【００３５】
ステップＳ１３で、利用者により現金で支払い処理がなされる場合、ステップＳ１４で、硬貨投入口２０３と紙幣挿入口２０１から支払われた現金が、それぞれ硬貨選別機１１と紙幣処理ユニット９で真偽判別された後、計数され、その結果が制御部２へ通知される。このとき、硬貨は硬貨選別機１１へ、紙幣は紙幣ユニット９へ受入れられ、判別・計数中は一次保留される。そして制御部２は、投入料金≧通行料金になると、受領確定と認識する。
【００３６】
上記ステップＳ１３で、利用者によりプリペイドカードで支払い処理がなされる場合、ステップＳ１５で、プリペイドカード処理ユニット８１は挿入されたプリペイドカードのデータを読取り、制御部２へ通知する。制御部２からの指令に応じて、プリペイドカード処理ユニット８１はプリペイドカードから金額データの引き去りを行う。このプリペイドカードの引き去りは、カード挿入後に即行われ、例えば、残額＜通行料金でも、即引き去りが行われる。この場合、２枚掛けや上乗せも、利用者が挿入することにより受付けられる。
【００３７】
上記ステップＳ１３で、利用者によりクレジットカード、ＥＴＣカード等で支払い処理がなされる場合、ステップＳ１６で、多機能カード処理ユニット８２は挿入されたカードのデータを読取る。そのデータは、制御部２を経由して、上位システム１２へ通知され、確認が行われる。上位システム１２で確認が行われると、通行料金の受領が確定し、制御部２の制御により多機能カード処理ユニット８２からカードが排出される。
【００３８】
また上記ステップＳ１３で、Ｕターン、船車券、緊急車、未納等、収受員の対応が必要な場合、ステップＳ１７で、収受員が出口車線へ出向き、操作パネル４にて操作を行い発進制御機１６を開き、当該車両を事務所へ誘導して事務所処理を行う。
【００３９】
次に制御部２は、通行料金の受領が確定したと認識すると、ステップＳ１８で、硬貨選別機１１を停止し、プリペイドカード処理ユニット８１と多機能カード処理ユニット８２と紙幣処理ユニット９にて挿入を受付けない状態とする。そして制御部２は、前面パネルユニット３へ、硬貨投入口２０３と、紙幣挿入口２０１、プリペイドカード挿入口２１２、及びカード挿入口２０９の各シャッタを閉じるよう指示する。これにより、硬貨、紙幣、カードは受付け不可となる。また制御部２は、料金案内表示器６へ案内メッセージを表示させるとともに、前面パネルユニット３へ音声案内を発生するよう指示する。これにより、料金案内表示器６に案内メッセージが表示され、音声案内スピーカ１０１から「ありがとうございました」等の音声案内が出力される。さらに、制御部２が発進制御機１６へ開指令を通知することで、発進制御機１６が開き、当該車両は発進可能となる。
【００４０】
またステップＳ１９で、釣りがある場合、ステップＳ２０で、制御部２は硬貨払出機５と紙幣処理ユニット９へ、それぞれ該当する硬貨と紙幣の払出枚数及び払出指令を通知する。ステップＳ２１で、制御部２は前面パネルユニット３へ、釣銭払出口２０５のシャッタを開くよう指示する。これにより、釣銭払出口２０５から余剰投入金が返却される。
【００４１】
ステップＳ２２で、利用者により領収書発行釦２０６が押されると（ＯＮ）、ステップＳ２３で、前面パネルユニット３は領収書発行釦２０６が押されたことを制御部２へ通知する。ステップＳ２４で、制御部２は、領収書発行機１０に対し印書内容と発行指令を通知する。これにより、領収書発行機１０は領収書を発行する。
【００４２】
次にステップＳ２５で、車両検知器１５は車両の発進を検知すると、制御部２へ通知する。ステップＳ２６で、制御部２は発進制御機１６を閉じる。そしてステップＳ２７で、制御部２は硬貨選別機１１へ、一時保留した硬貨を硬貨金庫へ収納するように通知する。これにより、現金が納庫される。
【００４３】
図６〜図１８は、前面パネルに設けられた料金案内表示器６における表示例を示す図である。
【００４４】
図６の（ａ），（ｂ）は、料金案内表示器６のレイアウトを示す図である。料金案内表示器６は、大型の液晶表示器からなり、料金表示部６１とメッセージ・イメージ表示部６２を有している。料金表示部６１には、通行料金、投入金額、おつりが表示される。料金表示部６１は、収受員の勤務中は常に表示をしている。メッセージ・イメージ表示部６２には、音声アナウンスに連動した案内メッセージ、またはメッセージと音声を補助する図が表示される。
【００４５】
図７は、車両進入待ち時の料金案内表示器６の表示例を示す図である。収受員が勤務中で、車線に車両が進入していないときには、料金案内表示器６は図７に示す画面となる。
【００４６】
図８は、車両進入時の料金案内表示器６の表示例を示す図である。車両が車線に進入してきた直後、メッセージ・イメージ表示部６２には、案内メッセージ「通行券またはＥＴＣカード挿入」「乗継証は係員呼出」が表示される。
【００４７】
図９は、証明書扉ロック解除時の料金案内表示器６の表示例を示す図である。証明書挿入口２０４の扉のロックが解除されると、メッセージ・イメージ表示部６２には、案内メッセージ「乗継証または証明書をお入れ下さい」が表示される。
【００４８】
図１０は、係員呼び出し時の料金案内表示器６の表示例を示す図である。利用者が係員呼び出しレバー２１０を操作すると、メッセージ・イメージ表示部６２には、案内メッセージ「係員がまいります」が点滅表示されるとともに、イメージ図が表示される。
【００４９】
図１１の（ａ），（ｂ）は、カード類の挿入誤り発生時の料金案内表示器６の表示例を示す図である。利用者が通行券を通行券挿入口２０２に挿入した際に、カードの挿入方向が間違っていた場合、図１１の（ａ）に示すように、メッセージ・イメージ表示部６２には案内メッセージ「通行券の方向を確認」とイメージ図が表示される。また、利用者がクレジットカード、ＥＴＣカード等をカード挿入口２０９に挿入した際に、カードの挿入方向が間違っていた場合、図１１の（ｂ）に示すように、メッセージ・イメージ表示部６２には案内メッセージ「カードの方向を確認」とイメージ図が表示される。これにより、利用者に正しい動作を促すことができる。
【００５０】
図１２は、収受員対応待ち時の料金案内表示器６の表示例を示す図である。通行券に記録された車種と車種判別の結果とが一致しない場合、収受員の対応待ちとなり、メッセージ・イメージ表示部６２には案内メッセージ「しばらくお待ち下さい」がスクロール表示されるとともに、イメージ図が表示される。
【００５１】
図１３は、通行券挿入後の料金投入待ち時の料金案内表示器６の表示例を示す図である。利用者が通行券を通行券挿入口２０２に挿入後（またはＥＴＣカード挿入後、他支払い選択後）、料金の支払い待ちのとき、料金表示部６１には通行料金「￥３，５００」が表示され、メッセージ・イメージ表示部６２には案内メッセージ「現金またはカードを入れて下さい」が表示される。
【００５２】
図１４は、ハイウェイカードの残額不足時の料金案内表示器６の表示例を示す図である。利用者がハイウェイカードを挿入後、ハイウェイカードが残額不足で、新しいハイウェイカードまたは現金を追加で挿入する必要がある場合、料金表示部６１には通行料金「￥３，５００」とハイウェイカードの残額である「￥２，０００」が表示され、メッセージ・イメージ表示部６２には案内メッセージ「ハイカ残額不足」「現金またはハイカをお入れ下さい」が表示される。
【００５３】
図１５は、クレジットカードの有効期限切れ時の料金案内表示器６の表示例を示す図である。利用者がクレジットカードを挿入後、クレジットカードが有効期限切れである場合、メッセージ・イメージ表示部６２には案内メッセージ「有効期限切れ」「現金またはハイカをお入れ下さい」が表示される。
【００５４】
図１６は、ＥＴＣカード等が無効な場合の料金案内表示器６の表示例を示す図である。利用者がクレジットカード、ＥＴＣカード等をカード挿入口２０９に挿入した際、そのカードが無効な場合、メッセージ・イメージ表示部６２には案内メッセージ「お取り扱いできません」とイメージ図が表示される。
【００５５】
図１７は、カード・紙幣抜き取り忘れ検知時の料金案内表示器６の表示例を示す図である。通行料金の受領が確定し、制御部２の制御により多機能カード処理ユニット８２からカードが、または釣銭払出口２０５から余剰投入金が返却されると、メッセージ・イメージ表示部６２には案内メッセージ「取り忘れに注意」が表示される。
【００５６】
図１８は、受領完了時の料金案内表示器６の表示例を示す図である。通行料金の受領完了後、メッセージ・イメージ表示部６２には案内メッセージ「ありがとうございました」がスクロール表示されるとともに、案内メッセージ「領収書が必要な時は赤いボタンを押して下さい」が表示される。
【００５７】
以上のように、有料道路の通行料金を自動的に徴収する料金自動収受装置の前面に大型液晶表示器を設けることにより、通行料金、投入料金、おつり、利用案内文字、案内図を表示し、利用者の操作性を向上することができる。なお、従来の装置では、通行料金表示器、投入料金表示器に、例えば各々４桁固定の７セグＬＥＤを設けており、利用案内は音声のみであるため、料金所内の車両の騒音で案内が聞こえない、耳が不自由な方に対する配慮が無い、案内が流れた後だと聞き逃した場合に分らない、等の問題が有った。これに対して本実施の形態では、大型液晶表示器を使用することで、料金変更（桁が増える場合など）にも容易に対応可能であり、利用案内についても音声だけでなく、文字表示、グラフィック、スクロール表示等の対応が可能である。また、液晶表示器に半透過型液晶表示器を用いた場合は、屋外において、太陽光等が入射する環境下でも見易さを実現することができる。
【００５８】
なお、本発明は上記実施の形態のみに限定されず、要旨を変更しない範囲で適宜変形して実施できる。
【００５９】
【発明の効果】
本発明の料金自動収受装置によれば、通行料金の収受に係る金額及び案内を表示することで、利用者の操作性が向上する。
【００６０】
本発明の料金自動収受装置によれば、利用者は、案内表示を見るだけで、料金収受操作を容易かつ確実に行なうことができる。
【００６１】
本発明の料金自動収受装置によれば、半透過型液晶表示器を用いることで、屋外において太陽光等が入射する環境下でも、表示内容が見易くなる。
【図面の簡単な説明】
【図１】本発明の実施の形態に係る料金自動収受装置の構成を示す正面図。
【図２】本発明の実施の形態に係る料金自動収受装置の構成を示すブロック図。
【図３】本発明の実施の形態に係る料金自動収受装置の各操作部における前面パネルのレイアウトを示す図。
【図４】本発明の実施の形態に係る料金自動収受装置の動作手順を示すフローチャート。
【図５】本発明の実施の形態に係る料金自動収受装置の動作手順を示すフローチャート。
【図６】本発明の実施の形態に係る料金案内表示器のレイアウトを示す図。
【図７】本発明の実施の形態に係る車両進入待ち時の料金案内表示器の表示例を示す図。
【図８】本発明の実施の形態に係る車両進入時の料金案内表示器の表示例を示す図。
【図９】本発明の実施の形態に係る証明書扉ロック解除時の料金案内表示器の表示例を示す図。
【図１０】本発明の実施の形態に係る係員呼び出し時の料金案内表示器６の表示例を示す図。
【図１１】本発明の実施の形態に係るカード類の挿入誤り発生時の料金案内表示器の表示例を示す図。
【図１２】本発明の実施の形態に係る収受員対応待ち時の料金案内表示器の表示例を示す図。
【図１３】本発明の実施の形態に係る通行券挿入後の料金投入待ち時の料金案内表示器の表示例を示す図。
【図１４】本発明の実施の形態に係るハイウェイカードの残額不足時の料金案内表示器の表示例を示す図。
【図１５】本発明の実施の形態に係るクレジットカードの有効期限切れ時の料金案内表示器の表示例を示す図。
【図１６】本発明の実施の形態に係るカードが無効な場合の料金案内表示器の表示例を示す図。
【図１７】本発明の実施の形態に係るカード・紙幣抜き取り忘れ検知時の料金案内表示器の表示例を示す図。
【図１８】本発明の実施の形態に係る受領完了時の料金案内表示器の表示例を示す図。
【符号の説明】
１…料金自動収受装置
２…制御部
３…前面パネルユニット
４…操作パネル
５…硬貨払出機
６…料金案内表示器
７…通行券処理ユニット
８１…プリペイドカード処理ユニット
８２…多機能カード処理ユニット
９…紙幣処理ユニット
１０…領収書発行機
１１…硬貨選別機
１２…上位システム
１３…監視盤
１４…車種判別装置
１５…車両検知器
１６…発進制御機
２５…偽貨返却機構
６１…料金表示部
６２…メッセージ・イメージ表示部
１００…操作部
１０１…音声案内スピーカ
１０２…偽貨返却口
２００…前面パネル
２０１…紙幣挿入口
２０２…通行券挿入口
２０３…硬貨投入口
２０４…証明書挿入口
２０５…釣銭払出口
２０６…領収書発行釦
２０７…領収書発行口
２０８…インターフォン子機
２０９…カード挿入口
２１０…係員呼び出しレバー
２１１…係員呼び出しレバー
２１２…プリペイドカード挿入口
【図１】
2004062302.tif 000003
【図２】
2004062302.tif 000004
【図３】
2004062302.tif 000005
【図４】
2004062302.tif 000006
【図５】
2004062302.tif 000007
【図６】
2004062302.tif 000008
【図７】
2004062302.tif 000009
【図８】
2004062302.tif 000010
【図９】
2004062302.tif 000011
【図１０】
2004062302.tif 000012
【図１１】
2004062302.tif 000013
【図１２】
2004062302.tif 000014
【図１３】
2004062302.tif 000015
【図１４】
2004062302.tif 000016
【図１５】
2004062302.tif 000017
【図１６】
2004062302.tif 000018
【図１７】
2004062302.tif 000019
【図１８】
2004062302.tif 000020